(57)【要約】【課題】患者の取り違えを未然に防止する。【解決手段】生体情報送信装置は、被測定者を識別するための識別情報を取得する識別情報取得部と、自装置の位置に関する情報を取得する自装置位置情報取得部と、前記自装置の位置と、前記識別情報により識別された前記被測定者が本来在所すべき位置と、の位置関係に関する情報を取得する位置関係情報取得部と、前記位置関係に関する情報を表示する表示部と、前記被測定者の生体情報の測定データを外部へ送信する送信部と、を有する。【選択図】図１
2018192330.tif 000002
【特許請求の範囲】
【請求項１】
被測定者を識別するための識別情報を取得する識別情報取得部と、
自装置の位置に関する情報を取得する自装置位置情報取得部と、
前記自装置の位置と、前記識別情報により識別された前記被測定者が本来在所すべき位置と、の位置関係に関する情報を取得する位置関係情報取得部と、
前記位置関係に関する情報を表示する表示部と、
前記被測定者の生体情報の測定データを外部へ送信する送信部と、
を有する生体情報送信装置。
【発明の詳細な説明】
【技術分野】
【０００１】
本発明は、生体情報送信装置に関する。
【背景技術】
【０００２】
従来、この種のシステムとしては、例えば特許文献１（特開２００４−３５１０６３号公報）に示されるように、バイタルデータの測定を担当するデータ採取者を確認する第１の確認手段と、測定の対象となる患者を確認する第２の確認手段と、患者に装着され測定実施項目を測定する測定手段と、測定手段から得られた測定データを読み込んで一時保持するデータ取得手段と、測定データの転送・記録を指示する指示手段と、測定データの記録が指示された場合に測定データが記録されるデータ蓄積サーバと、を有する患者データ採取管理システムがある。特許文献１のシステムでは、システムがデータ採取者および患者のそれぞれに装着された二次元バーコードを読み取ってデータ採取者および患者を特定する。
【０００３】
特許文献２（特開２０１４−０６８６９６号公報）には、生体情報計測装置（例、体温計）から生体情報を無線で受信する際に患者の識別情報も生体情報計測装置から無線方式によって取得し、取得した識別情報に基づいて患者を特定する生体情報取得装置が開示されている。また、特許文献２には、患者認証方法の一例として生体情報取得装置が患者の手首に装着された電子タグを無線で読み取る手法も挙げられている。
【先行技術文献】
【特許文献】
【０００４】
【特許文献１】特開２００４−３５１０６３号公報
【特許文献２】特開２０１４−０６８６９６号公報
【発明の概要】
【発明が解決しようとする課題】
【０００５】
特許文献１に記載のシステムでは、データ採取者（例、看護師）、および、患者の特定のために、データ採取者および患者に装着された二次元バーコードを読み取る必要がある。患者の二次元バーコードの読み取りは、通常、看護師等のデータ採取者が行うこととされている。そのため、該システムでは、看護師は、体温、血圧といった生体情報の測定に際し、患者毎に、二次元バーコードの読み取りを実施する必要がある。例えば、二次元バーコードは、患者の腕に装着されている。そのため、看護師は、布団に覆われた二次元バーコードをバーコードリーダに読み取らせるために患者の布団をめくらなければならないような場合もある。また、患者によっては、二次元バーコードが装着された腕を下にした姿勢で横になっていることもある。このような場合、二次元バーコードの読み取り自体が困難となる。
【０００６】
近年、無線通信により識別情報を発信することが可能な識別用機器、例えばＲＦＩＤタグ、の利用が拡大している。上述のような看護支援システムにおいて、二次元バーコードに代えてそのような識別用機器を採用した場合、患者にＲＦＩＤタグを装着してもらうことになる。そうすることにより、看護師による患者の特定作業の効率化が期待でき、さらには、上述の患者特定作業の完全自動化も期待できるようになる。
【０００７】
しかしながら、直上記載のように、患者にＲＦＩＤタグを装着してもらい、患者の特定作業を当該ＲＦＩＤを用いて自動化する場合、看護師にとっては、これから生体情報の測定を行おうとしている患者が正しく特定されているかを簡便に確認することがむしろ困難になるという問題が生じる。
【０００８】
そこで、この発明の課題は、患者の取り違えを未然に防止することができる生体情報送信装置の提供にある。
【課題を解決するための手段】
【０００９】
上記課題を解決するため、この発明の一態様による生体情報送信装置は、
被測定者を識別するための識別情報を取得する識別情報取得部と、
自装置の位置に関する情報を取得する自装置位置情報取得部と、
前記自装置の位置と、前記識別情報により識別された前記被測定者が本来在所すべき位置と、の位置関係に関する情報を取得する位置関係情報取得部と、
前記位置関係に関する情報を表示する表示部と、
前記被測定者の生体情報の測定データを外部へ送信する送信部と、
を有する。
【発明の効果】
【００１０】
本発明によれば、患者の取り違えを未然に防止することができる。
【図面の簡単な説明】
【００１１】
【図１】この発明の一実施形態による看護支援システムの構成を示すブロック図である。
【図２】この発明の一実施形態による看護支援端末装置の構成を示すブロック図である。
【図３】看護支援端末装置の表示例を示す図である。
【図４】この発明の一実施形態によるデータ収集サーバの構成を示すブロック図である。
【図５Ａ】データ収集サーバが保持する看護師データベースの例を示す図である。
【図５Ｂ】データ収集サーバが保持する患者データベースの例を示す図である。
【図６Ａ】看護師の認証にかかる看護支援端末装置の処理を示すフローチャートである。
【図６Ｂ】看護師の認証にかかるデータ収集サーバの処理を示すフローチャートである。
【図７】看護師の認証が完了したときの看護支援端末装置の表示例を示す図である。
【図８】看護師の認証が完了後に看護支援端末装置がする処理を示すフローチャートである。
【図９Ａ】認証された看護士が病室の外にいるときの、現在位置表示の例である。
【図９Ｂ】認証された看護士が病室のなかにいるときの、現在位置表示の例である。
【図１０】看護師が患者の生体情報の測定を行う様子を示す模式図である。
【図１１Ａ】看護師の認証、および、患者の本来の位置の表示にかかる看護支援端末装置の処理を示すフローチャートである。
【図１１Ｂ】患者の認証にかかるデータ収集サーバの処理を示すフローチャートである。
【図１２】認証された患者の本来のベッドの位置と、認証された看護士の現在位置とが同一の病室である場合の、看護支援端末装置の表示例を示す図である。
【図１３】認証された患者の本来のベッドの位置と、認証された看護士の現在位置とが同一の病室でない場合の、看護支援端末装置の表示例を示す図である。
【図１４Ａ】生体情報データの収集にかかる看護支援端末装置の処理を示すフローチャートである。
【図１４Ｂ】生体情報データの収集にかかるデータ収集サーバの処理を示すフローチャートである。
【発明を実施するための形態】
【００１２】
以下、この発明の実施の形態を、図面を参照しながら詳細に説明する。
【００１３】
図１は、本発明の実施形態による看護支援システムを含む病院等の院内ネットワークの一例を示すブロック図である。図１を参照し、本発明の実施形態による看護支援システムの構成の概要を説明する。
【００１４】
看護支援システムは、看護師等が使用して患者等の生体情報（血圧、体温等）のデータを収集する端末装置１と、端末装置１とデータ通信可能に接続され端末装置１から生体情報のデータを取得し該生体情報のデータを電子カルテサーバ３ｓが管理する電子カルテに記録するデータ収集サーバ２と、端末装置１からの要求に応じて端末装置１の現在位置の情報を端末装置１に提供する位置情報サーバ４と、看護師等に装着され、看護師等を識別するための識別情報をＲＦＩＤ通信により端末装置１へ送信する看護師ＩＤタグ５と、患者等に装着され、患者等を識別するための識別情報をＲＦＩＤ通信により端末装置１へ送信する患者ＩＤタグ７と、を有する。データ収集サーバ２は、後述するように、看護師および患者の認証のための機能も備える。端末装置１は、Ｗｉ−Ｆｉ通信により無線ＬＡＮアクセスポイント８と接続され、無線ＬＡＮアクセスポイント８を経由して院内ネットワーク９に接続されている。院内ネットワーク９には、これら端末装置１およびデータ収集サーバ２のほか、電子情報化されたカルテ（電子カルテ）を管理する電子カルテサーバ３ｓや、電子カルテサーバ３ｓにアクセスして電子カルテの情報を閲覧する電子カルテ閲覧端末装置３ｃが接続されている。
【００１５】
端末装置１は、本実施形態による看護支援端末装置である。端末装置１は、測定者である看護師等が装着する看護師ＩＤタグ５、および、被測定者である患者等が装着する患者ＩＤタグ７からそれぞれ、ＲＦＩＤ通信により、看護師識別情報（測定者を識別するための識別情報）および患者識別情報（被測定者を識別するための識別情報）を取得することができる。端末装置１は、取得した看護師識別情報および患者識別情報に基づいて、測定者および被測定者を特定する。より詳しくは、端末装置１は、先ず、取得した看護師識別情報および患者識別情報をデータ収集サーバ２へ送る。データ収集サーバ２は、受け取った情報に基づいて看護師または患者の認証を行い、認証の結果を端末装置１へ送信する。端末装置１は、データ収集サーバ２から返ってくる認証の結果に基づいて、データ測定を行う看護師およびデータが測定される患者を特定する。
【００１６】
看護師および患者が特定された状態において、端末装置１は、生体情報測定装置６から生体情報の測定データを受信する。具体的には、端末装置１は、体温計、血圧計、血糖計といった生体情報測定装置６から、体温、血圧、血糖値といった生体情報の測定データを、ＮＦＣ（Near Field Communication）通信により、取得する。端末装置１は、取得した生体情報の測定データを、表示部１３（図２）に表示し、測定者の指示に従って、測定者（看護師）および被測定者（患者）の情報とともにデータ収集サーバ２へ送る。
【００１７】
データ収集サーバ２は、測定者（看護師）および被測定者（患者）の情報ならびに生体情報の測定データを端末装置１から受け取ると、受け取った情報に基づいて電子カルテサーバ３ｓに対し電子カルテへの測定結果の記録を要求する。
【００１８】
電子カルテサーバ３ｓは、電子情報化されたカルテを管理するサーバである。電子カルテサーバ３ｓは、データ収集サーバ２からの要求に従い、被測定者の電子カルテに対し、測定データや測定者や時刻等といったデータを記録する。
【００１９】
看護師ＩＤタグ５は、記憶媒体、プロセッサ、および、無線通信用回路を有し、その記憶媒体に識別情報を保持するＲＦＩＤタグ（ＩＣタグ）である。本システムでは、当該識別情報を、看護師を識別するための情報（看護師識別情報（測定者識別情報））として使用する。看護師ＩＤタグ５は、職員証、リストバンド、バッジ等として看護師に装着可能である。看護師ＩＤタグ５は、端末装置１に内蔵または接続されたＲＦＩＤリーダ（第１無線通信モジュール（図２））からの電波を受信するとそれに対する応答として看護師識別情報を発信するパッシブタイプのＲＦＩＤタグである。看護師ＩＤタグ５は、例えば、端末装置１からおよそ１ｍの範囲内において、当該端末装置１のＲＦＩＤリーダ（第１無線通信モジュール（図２））と通信することができる。なお、看護師ＩＤタグ５は、アクティブタイプ、あるいは、セミアクティブタイプのＲＦＩＤタグでもよい。また、上記通信可能な範囲は、１ｍの範囲に限定されない。
【００２０】
患者ＩＤタグ７もまた、記憶媒体、プロセッサ、および、無線通信用回路を有し、その記憶媒体に識別情報を保持するＲＦＩＤタグ（ＩＣタグ）である。本システムでは、当該識別情報を、患者を識別するための情報（患者識別情報（被測定者識別情報））として使用する。患者ＩＤタグ７は、名札、リストバンド、バッジ等として患者に装着可能である。患者ＩＤタグ７は、看護師ＩＤタグ５同様、端末装置１のＲＦＩＤリーダ（第１無線通信モジュール（図２））からの電波を受信すると応答として患者識別情報を発信するパッシブタイプのＲＦＩＤタグである。患者ＩＤタグ７も、例えば、端末装置１からおよそ１ｍの範囲内において、当該端末装置１のＲＦＩＤリーダ（第１無線通信モジュール（図２））と通信することができる。なお、患者ＩＤタグ７もまた、アクティブタイプ、あるいは、セミアクティブタイプのＲＦＩＤタグでもよい。また、上記通信可能な範囲は、１ｍの範囲に限定されない。
【００２１】
生体情報測定装置６は、例えば、体温計、血圧計、血糖計、パルスオキシメータといった生体情報を測定するための装置である。生体情報測定装置６は、ＮＦＣ通信により、測定データを端末装置１へ送信する。なお、生体情報測定装置６と端末装置１との間の通信は、ＮＦＣでなくともよく、Ｂｌｕｅｔｏｏｔｈ（登録商標）といった通信規格であってもよい。また、生体情報測定装置６と端末装置１との間の通信は、通信ケーブル等を用いた有線接続により行ってもよい。
【００２２】
位置情報サーバ４は、端末装置１からの要求に応じて端末装置１の現在位置の情報を端末装置１へ提供するサーバ装置である。位置情報サーバ４は、例えば、端末装置１が使用している無線ＬＡＮアクセスポイント８の設置位置や、端末装置１と無線ＬＡＮアクセスポイント８との通信状況（電波強度等）に基づいて、端末装置１の現在位置を推定し、推定結果を端末装置１の現在位置の情報として端末装置１に提供する。なお、位置情報サーバ４は、必ずしも必要ではない。後述するように、端末装置１は、それが内蔵するＧＰＳモジュール１５（図２）の働きにより、自身の現在位置の情報を取得することも可能である。その場合、位置情報サーバ４は、なくともよい。ＧＰＳモジュール１５および位置情報サーバ４は、それぞれ、本実施形態において、位置情報提供装置として動作することができる。
【００２３】
図２を参照して端末装置１の構成について詳しく説明する。端末装置１は、所謂タブレット端末である。端末装置１は、制御部（ＣＰＵ）１１と、記憶部１２と、表示部１３と、操作部１４と、ＧＰＳ（Global Positioning System）モジュール１５と、第１無線通信モジュール１６と、第２無線通信モジュール１７と、第３無線通信モジュール１８とを有する。
【００２４】
制御部（ＣＰＵ）１１は、ＣＰＵ（Central Processing Unit；中央演算処理装置）およびその補助回路で構成され、端末装置１を構成する各部を制御し、記憶部１２に記憶されたプログラムおよびデータに従って各種の処理を実行する。すなわち、制御部（ＣＰＵ）１１は、操作部１４、ＧＰＳモジュール１５、第１無線通信モジュール１６、第２無線通信モジュール１７、第３無線通信モジュール１８等との間でデータのやりとりを行い、入力されたデータを処理し、処理したデータを、記憶部１２に記憶したり、表示部１３で表示したり、通信モジュール１６、１７、１８へ出力したりする。制御部（ＣＰＵ）１１は、１つまたは複数のプログラムをそれぞれ独立・並列的に随時実行することができ、それらプログラムを実行することによって、図６Ａ、図８、図１１Ａ、図１４Ａ等に記載された処理を実行することができる。
【００２５】
なお、制御部１１の構成は、ＣＰＵおよびその周辺の補助回路に限定されない。制御部１１は、ＡＳＩＣ（Application Specific Integrated Circuit）や、ＦＰＧＡ（Field-Programmable Gate Array）のようなプログラマブルロジックデバイスや、マイクロコントローラ、といったプロセッサとして実装可能である。また、制御部１１の実装上の構成は上述した例に限定されない。
【００２６】
記憶部１２は、制御部（ＣＰＵ）１１が実行するプログラムを格納し、またプログラムを実行するために必要な作業領域として用いられる。記憶部１２は、例えば、ＲＡＭ（Random Access Memory）やＲＯＭ（Read Only Memory）といった記憶装置である。また、記憶部１２の記憶領域を補助するための補助記憶装置の記憶媒体として、半導体メモリ（メモリカード、ＳＳＤ（Solid State Drive））などを用いることができる。
【００２７】
表示部１３および操作部１４は、タッチパネル液晶ディスプレイとして一体的に構成される。つまりその場合、表示部１３は、文字および図形を表示することができる液晶ディスプレイにより構成され、操作部１４は、液晶ディスプレイの表示面上に形成されたタッチセンサである。
【００２８】
ＧＰＳモジュール１５は、ＧＰＳ衛星からの電波を受信して受信した電波に含まれる信号に基づいて現在位置を特定するためのモジュールである。ＧＰＳモジュール１５は、制御部（ＣＰＵ）１１の指示に従って動作し、現在位置の情報（経度・緯度・高度等）を制御部（ＣＰＵ）１１へ返すことができる。
【００２９】
第１無線通信モジュール１６は、所謂ＲＦＩＤリーダを備えたモジュールである。第１無線通信モジュール１６は、看護師ＩＤタグ５および患者ＩＤタグ７との間でＲＦＩＤによる通信を行って、看護師ＩＤタグ５および患者ＩＤタグ７（ＲＦＩＤタグ）が保持する識別情報を取得する。
【００３０】
第２無線通信モジュール１７は、生体情報測定装置６との間で非接触近距離無線通信を行うためのＮＦＣモジュールである。ユーザが生体情報測定装置６を端末装置１（の第２無線通信モジュール１７）に近接させると、第２無線通信モジュール１７は、生体情報測定装置６との間で通信を行い、生体情報測定装置６に保持された生体情報の測定データを受信する。なお、生体情報測定装置６と端末装置１との間の通信は、ＮＦＣに限定されるものではない。
【００３１】
第３無線通信モジュール１８は、例えば病室やナースステーションに設置された無線ＬＡＮアクセスポイント８との間で無線データ通信を行うためのＷｉ−Ｆｉモジュールである。端末装置１は、第３無線通信モジュール１８を介して、院内ネットワーク９（図１）に接続される。
【００３２】
図３は、端末装置１を上から見たときの模式図である。タブレット端末で構成される端末装置１は、その上面にタッチパネル液晶ディスプレイ１３（１４）を備えており、これが端末装置１の表示部１３および操作部１４を構成する。図面中の表示部１３の下方には、第２無線通信モジュール１７が配されている。
【００３３】
看護師ＩＤタグ５を装着した看護師が端末装置１に近づくと、（およそ１ｍの範囲にあると、）端末装置１は、看護師ＩＤタグ５の存在を検出し、当該ＩＤタグ５から看護師識別情報を取得する。端末装置１は、看護師識別情報に基づいて（データ収集サーバ２に認証を要求して得た認証の結果に基づいて）、測定者である看護師を特定する。すると、特定された看護師の名前が、看護師氏名表示欄１０１に表示される。
【００３４】
端末装置１を携えた看護師が患者に近づくと、端末装置１は、患者ＩＤタグ７の存在を検出し、当該ＩＤタグ７から患者識別情報を取得する。端末装置１は、患者識別情報に基づいて（データ収集サーバ２に認証を要求して得た認証の結果に基づいて）、被測定者である患者を特定する。すると、特定された患者の名前が、患者氏名表示欄１０２に表示される。
【００３５】
生体情報測定装置６の１つである血圧計から、測定データ（血圧のデータ）を受信すると、端末装置１は、当該血圧の値を血圧値表示欄１０３および１０４に表示する。また、脈拍数が、脈拍数表示欄１０５に表示される。
【００３６】
生体情報測定装置６の１つである体温計が第２無線通信モジュール１７にかざされると、体温計から、ＮＦＣ通信によって、測定データ（体温のデータ）が端末装置１へ送信される。すると、端末装置１は、当該体温の値を体温表示欄１０６に表示する。
【００３７】
ＳｐＯ２表示欄１０７および血糖値表示欄１０８には、それぞれ、上述した体温計の場合と同様にして生体情報測定装置６の１つであるパルスオキシメータや血糖計から取得されたデータが表示される。
【００３８】
送信ボタン１４１は、操作部１４に含まれる操作ボタンである。看護師が送信ボタン１４１をタップすると、端末装置１は、生体情報測定装置６から取得した測定データを、看護師（測定者）の情報、および、患者（被測定者）の情報とともに、データ収集サーバ２へ送信する。
【００３９】
次に、データ収集サーバ２について説明する。図４は、データ収集サーバ２の構成を示すブロック図である。データ収集サーバ２は、制御部（ＣＰＵ）２１と、メモリ２２と、ネットワークインタフェース２４とを有する。
【００４０】
制御部（ＣＰＵ）２１は、ＣＰＵ（Central Processing Unit；中央演算処理装置）およびその補助回路で構成され、データ収集サーバ２を構成する各部を制御し、メモリ２２に記憶されたプログラムおよびデータに従って各種の処理を実行する。制御部（ＣＰＵ）２１は、１つまたは複数のプログラムをそれぞれ独立・並列的に随時実行することができ、それらプログラムを実行することによって、図６Ｂ、図１１Ｂ、図１４Ｂ等に記載された処理を実行することができる。
【００４１】
なお、制御部２１の構成は、ＣＰＵおよびその周辺の補助回路に限定されない。制御部２１は、ＡＳＩＣ（Application Specific Integrated Circuit）や、ＦＰＧＡ（Field-Programmable Gate Array）のようなプログラマブルロジックデバイスや、マイクロコントローラ、といったプロセッサとして実装可能である。また、制御部２１の実装上の構成は上述した例に限定されない。
【００４２】
メモリ２２は、制御部（ＣＰＵ）２１が実行するプログラムを格納し、またプログラムを実行するために必要な作業領域として用いられる。メモリ２２は、例えば、ＲＡＭ（Random Access Memory）やＲＯＭ（Read Only Memory）といった記憶装置である。また、記憶部１２の記憶領域を補助するための補助記憶装置の記憶媒体として、半導体メモリ（メモリカード、ＳＳＤ（Solid State Drive））などを用いることができる。
【００４３】
データ収集サーバ２は、上記したプログラムを実行することにより、端末装置１から送信される識別情報に基づいて、看護師や患者の認証を行う。また、データ収集サーバ２は、端末装置１から送信される測定データ等を受信し、受信した測定データに基づいて、電子カルテサーバ３ｓに対し、電子カルテへの測定データの記録を要求する。
【００４４】
さらに、データ収集サーバ２は、上記したプログラムを実行することにより、看護師データベース（測定者データベース）２３ｎ、および、患者データベース（被測定者データベース）２３ｐとして動作する。
【００４５】
図５Ａは、看護師データベース２３ｎに記録されるデータの例を示す図である。看護師データベース２３ｎは、看護師識別情報（識別子ＩＤ）と、看護師の名前等とを対応付けて記録するデータベースである。端末装置１から看護師識別情報が送られてくると、データ収集サーバ２は、受信した看護師識別情報をキーとして看護師データベース２３ｎを検索し、当該看護師識別情報に対応する看護師の情報（名前等）を取得する（看護師の認証）。データ収集サーバ２は、そのようにして取得した看護師の情報を、端末装置１へ送信する。なお当然のことながら、看護師データベース２３ｎは、名前以外の看護師の情報を記録することも可能である。
【００４６】
図５Ｂは、患者データベース２３ｐに記録されるデータの例を示す図である。患者データベース２３ｐは、患者識別情報（識別子ＩＤ）と、患者の名前と、患者が本来在所すべき居所（病室、ベッド番号等）の情報を対応付けて管理するデータベースである。患者が本来在所すべき居所（病室、ベッド番号等）の情報は、例えば、データ収集サーバ２が電子カルテサーバ３ｓが管理する電子カルテに記録された病室番号、ベッド番号等の情報を参照することにより、予め取得されている。端末装置１から患者識別情報が送られてくると、データ収集サーバ２は、受信した患者識別情報をキーとして患者データベース２３ｐを検索し、当該患者識別情報に対応する患者の情報（名前、電子カルテに記載された病室やベッドの番号等）を取得する（患者の認証）。データ収集サーバ２は、そのようにして取得した患者の情報を、端末装置１へ送信する。なお当然のことながら、患者データベース２３ｐは、名前や電子カルテに記載された病室やベッドの番号以外の患者の情報（性別、年齢等）を記録することも可能である。
【００４７】
以上のような構成を有する本実施形態による看護支援システムでは、端末装置１が、ＮＦＣ通信により、体温計等の生体情報測定装置６が測定した体温等の生体情報を取得し、端末装置１は、そのようにして取得した生体情報を、データ収集サーバ２へ送る。データ収集サーバ２は、看護師ＩＤタグ５および患者ＩＤタグ７により認証された看護師（測定者）および患者（被測定者）の情報を生体情報と関連づけて電子カルテサーバ３ｓへ送る。生体情報を受信した電子カルテサーバ３ｓは、患者（上記の被測定者）の電子カルテに生体情報の測定結果を記録する。生体情報の測定結果が記録された電子カルテは、電子カルテ閲覧端末装置３ｃを通じて、医師や看護師の閲覧に供される。
【００４８】
次に、図６Ａ、図６Ｂ、および、図７を参照して、看護師の認証（測定者の特定）について説明する。
【００４９】
図６Ａは、看護師の認証（測定者の特定）において、端末装置１（の制御部１１）が実行する処理の流れを示すフローチャートである。
【００５０】
制御部１１は、識別情報取得部として動作して、第１無線通信モジュール１６が看護師ＩＤタグ５を検出したかどうかをチェックする（ステップＳ１）。看護師ＩＤタグ５が検出されると（ステップＳ１における「ＹＥＳ」）、処理は、ステップＳ２へ進む。
【００５１】
ステップＳ２において、制御部１１は、測定者特定部として動作して、第１無線通信モジュール１６が看護師ＩＤタグ５から受信した識別情報に基づいて、データ収集サーバ２へ看護師の認証を要求する。
【００５２】
ここでデータ収集サーバ２側の動作について説明する。図６Ｂは、看護師の認証（測定者の特定）において、データ収集サーバ２（の制御部２１）がする処理の流れを示すフローチャートである。
【００５３】
データ収集サーバ２の制御部２１は、ネットワークインタフェース２４を通じて端末装置１から看護師の認証にかかるリクエストを受信したかどうかをチェックする（ステップＳ１０１）。看護師の認証にかかるリクエストの受信を確認すると（ステップＳ１０１における「ＹＥＳ」）、処理は、ステップＳ１０２へ進む。
【００５４】
ステップＳ１０２において、制御部２１は、看護師データベース２３ｎ（図５Ａ）にアクセスして当該リクエストとともに受信した看護師識別情報をキーとして看護師の情報を検索する。例えば、リクエストとともに受信した看護師識別情報が「ＮＩＤ０００１」であった場合、制御部２１は、看護師データベース２３ｎから、看護師の情報として、看護師の名前「Ｎ」を取得する。
【００５５】
次に、ステップＳ１０３において、制御部２１は、看護師識別情報に基づいて取得した看護師の情報を、端末装置１へ送る。例えば、データ収集サーバ２は、看護師の情報（名前「Ｎ」）を、院内ネットワーク９を通じて、端末装置１へ送る。
【００５６】
図６Ａに戻り、ステップＳ３において、端末装置１の制御部１１は、測定者特定部として動作して、データ収集サーバ２から、看護師の情報を取得し、測定者としての看護師を特定する。図７は、このようにしてなされる看護師の認証後の端末装置１の表示の例を示す図である。同図に例示されるように、看護師の認証（特定）が成功すると、端末装置１の表示部１３の看護師氏名表示欄１０１に特定された看護師の氏名が表示される。
【００５７】
このようにして看護師の認証（特定）が完了すると、端末装置１は、図８に示す処理を行い、表示部１３を用いて看護師の現在位置をマップ上に表示する。ここから、図８、図９Ａ、および、図９Ｂを参照して、看護師の現在位置のマップ表示について説明する。
【００５８】
図８を参照すれば、端末装置１の制御部１１は、位置情報取得部として動作して、端末装置１の現在位置の情報を取得する（ステップＳ４）。位置情報取得部による現在位置の情報の取得は、具体的には、制御部１１がＧＰＳモジュール１５に対し位置情報の取得を指示し、これに応じてＧＰＳモジュール１５が制御部１１へ返す位置情報を取得することによりなされる。なお、位置情報取得部による現在位置の情報の取得は、位置情報サーバ４に対し現在位置の情報をリクエストして、位置情報サーバ４から現在位置の情報を取得することによりなされてもよい。
【００５９】
現在位置の情報を取得した端末装置１は、位置情報と予め保持している病棟地図とを照合し、現在位置が病室内であるかどうかを判断する（ステップＳ５）。現在位置は病室の外であると判断された場合（ステップＳ５における「ＮＯ」）、処理は、ステップＳ６へ進む。他方、現在位置は病室内であると判断された場合（ステップＳ５における「ＹＥＳ」）、処理は、ステップＳ７へ進む。
【００６０】
ステップＳ６においては、端末装置１の制御部１１は、図９Ａに例示するように、表示部１３に病棟のフロアマップ１０９を表示させる。フロアマップ１０９には、看護師が携帯している端末装置１の現在位置を示すマーカ１１０がフロアマップ上に重畳されて表示される。図９Ａの例では、端末装置１を携えた看護師は、現在、ナースステーション内にいることが表示されている。
【００６１】
看護師は端末装置１を携えて病室へ向かうとする。看護師が病室に入室すると、ステップＳ５の判断結果は、「ＹＥＳ」となり、当該ステップＳ５に続いてステップＳ７の処理が実行される。
【００６２】
ステップＳ７においては、端末装置１の制御部１１は、データ収集サーバ２に対し、現在入室している病室に本来在所すべき患者の情報を要求する。要求を受けたデータ収集サーバ２は、患者データベース２３ｐにアクセスしてその「電子カルテ記載の居所」欄に端末装置１が現在入室している病室が記載されている患者の情報を取得し、取得した情報を、端末装置１へ提供する。このようにして、端末装置１は、データ収集サーバ２から、現在入室している病室に本来在所すべき患者の情報（患者の氏名、ベッド番号、性別、年齢等）を取得する。
【００６３】
ステップＳ８において、制御部１１は、図９Ｂに例示するように、表示部１３に現在入室している病室のマップ１１１を表示させる。病室のマップ１１１には、看護師および端末装置１の位置を示すマーカ１１０が表示されるとともに、電子カルテ上で同病室に在所することになっている患者の情報がステップＳ７で取得した情報に基づいて表示される。
【００６４】
このようにして、端末装置１は、看護師が病室の外にいるときには、病棟のフロアマップおよび現在位置を表示する。こうすることで、看護師は、フロアの情報と現在位置を即座に把握することができるようになる。また、端末装置１は、看護師が病室に入室したときには、電子カルテに記載された情報に基づいて当該病室に在所する患者の情報を表示する。これにより、看護師は、現在入室している病室にいるはずの患者を把握することができるようになる。
【００６５】
次に、図１０、図１１Ａ、図１１Ｂ、図１２、図１３を参照して、患者の認証（被測定者の特定）と、被測定者の本来在所の表示について説明する。
【００６６】
図１０は、携帯端末１を携えた看護師Ｎが１０１号病室に入室した状況を示す模式図である。同図で看護師Ｎは、ベッド１０１−３に横たわる患者の近くに立っている。図１１Ａは、患者の認証（被測定者の特定）および被測定者の本来在所の表示において、端末装置１（の制御部１１）がする処理の流れを示すフローチャートである。本図に示すステップのうち、主としてステップＳ９乃至ステップＳ１１が、患者の認証に関連してなされる処理であり、主としてステップＳ１２乃至ステップＳ１５が、被測定者の本来在所の表示に関連してなされる処理である。
【００６７】
図１１Ａを参照すれば、制御部１１は、識別情報取得部として動作して、第１無線通信モジュール１６が患者ＩＤタグ７を検出したかどうかをチェックする（ステップＳ９）。図１０に示されるように、端末装置１を携帯する看護師Ｎは、患者Ｃさんの近くに立っている。このとき、端末装置１は、Ｃさんの患者ＩＤタグ７を検出する。患者ＩＤタグ７が検出されると（ステップＳ９における「ＹＥＳ」）、処理は、ステップＳ１０へ進む。
【００６８】
ステップＳ１０において、制御部１１は、被測定者特定部として動作して、第１無線通信モジュール１６が患者ＩＤタグ７から受信した識別情報に基づいて、データ収集サーバ２へ患者の認証を要求する。図１０に示される例では、端末装置１は、患者Ｃさんの患者ＩＤタグ７の記憶媒体に保持される識別情報に基づいて、データ収集サーバ２に対し、患者の認証をリクエストする。
【００６９】
ここでデータ収集サーバ２側の動作について説明する。図１１Ｂは、患者の認証（被測定者の特定）において、データ収集サーバ２（の制御部２１）がする処理の流れを示すフローチャートである。
【００７０】
データ収集サーバ２の制御部２１は、ネットワークインタフェース２４を通じて端末装置１から患者の認証にかかるリクエストを受信したかどうかをチェックする（ステップＳ１０４）。患者の認証にかかるリクエストの受信を確認すると（ステップＳ１０４における「ＹＥＳ」）、処理は、ステップＳ１０５へ進む。
【００７１】
ステップＳ１０５において、制御部２１は、患者データベース２３ｐ（図５Ｂ）にアクセスして当該リクエストとともに受信した患者識別情報をキーとして看護師の情報を検索する。例えば、リクエストとともに受信した看護師識別情報が「ＰＩＤ０００３」であった場合、制御部２１は、患者データベース２３ｐから、患者の情報として、患者の名前「Ｃ」や、電子カルテに記載された、当該患者が本来在所すべき場所（病室、ベッド番号等）を取得する。
【００７２】
次に、ステップＳ１０６において、制御部２１は、患者識別情報に基づいて取得した患者の情報を、端末装置１へ送る。例えば、データ収集サーバ２は、患者の情報（名前「Ｃ」、電子カルテ記載の居所「１０１号室第３ベッド」）を、院内ネットワーク９を通じて、端末装置１へ送る。
【００７３】
図１１Ａに戻り、ステップＳ１１において、端末装置１の制御部１１は、被測定者特定部として動作して、データ収集サーバ２から、患者の情報を取得し、被測定者としての患者を特定するとともに、制御部１１は、在所位置情報取得部として動作して、取得した患者の情報から被測定者である患者が本来在所すべき位置に関する情報を取得する。ここで、患者が本来在所すべき位置に関する情報とは、例えば、電子カルテに記載されている患者の病室やベッド番号等に関する情報である。
【００７４】
次に、端末装置１は、ステップＳ４（図８）と同様にして、位置情報取得部として動作して、端末装置１の現在位置の情報を取得する（ステップＳ１２）。
【００７５】
そして、ステップＳ１３において、端末装置１の制御部１１は、図１２に示すように表示部１３の患者氏名表示欄１０２に患者の氏名を表示させるとともに、表示部１３に、病棟のマップ画像１１２を表示させ、当該マップ画像１１２上に端末装置１の現在位置を示すマーカと、患者の本来在所すべき位置（電子カルテに記載された病室・ベッド番号等）を示すマーカを表示させる。図１２の例では、被測定者として特定されたＣさんは、本来の自分のベッドに在所しており、当該ベッドの傍らに測定者である看護師Ｎがいる。このように、端末装置１の現在位置と、被測定者として特定された患者（ここではＣさん）が本来在所すべき位置とが、同一の病室に含まれる場合は、端末装置１は、その表示部１３に病棟のフロアマップとよりスケールが拡大された病室のマップ画像を表示し、その病室のマップ画像に、端末装置１の位置を示すマーカ１１０と、被測定者として特定された患者が本来在所すべき位置（電子カルテに記載されている病室やベッド番号等）を示すマーカ１１３とを、重畳して表示する。
【００７６】
他方、端末装置１の現在位置と、被測定者として特定された患者が本来在所すべき位置とが、同一の病室に含まれない場合は、端末装置１は、その表示部１３に病棟のフロアマップを表示し、そのフロアマップ画像に、端末装置１の位置を示すマーカ１１０と、被測定者として特定された患者が本来在所すべき位置（電子カルテに記載されている病室やベッド番号等）を示すマーカ１１３とを、重畳して表示する（スケールが拡大された病室のマップ画像は表示されない）。図１３は、そのような場合の表示例を示す図である。図１３の例では、本来患者Ｃさんがいるはずのベッドにいた患者Ｇさんが被測定者として特定され、看護師Ｎは、患者Ｃさんのベッドの傍らに立っている。したがってこの場合には、端末装置１の位置を示すマーカ１１０と、被測定者として特定された患者が本来在所すべき位置（ここでは、Ｇさんが本来在所すべき場所）を示すマーカ１１３は、フロアマップ画像１１４において、互いに異なる病室区画中に表示されることになる。
【００７７】
図１１Ａに戻り、ステップＳ１４において、端末装置１の制御部１１は、端末装置１の現在位置と、被測定者として特定された患者が本来在所すべき位置とが同一とみなせる範囲内に含まれるか否かをチェックする。ここで、同一とみなせる範囲とは、病棟や病室の寸法および形状により変化するが、例えば、端末装置１の現在位置から最も近いベッドが含まれる範囲を、端末装置１の現在位置と同一とみなせる範囲としてよい。
【００７８】
端末装置１の現在位置と、被測定者として特定された患者が本来在所すべき位置とが同一とみなせる範囲内に含まれないと判断された場合（ステップＳ１４における「ＮＯ」）、端末装置１は、ステップＳ１５において、看護師に注意を促すための情報を、表示部１３に表示する。図１３のメッセージ１１５のように、表示部１３に注意喚起情報が表示される。この表示は、看護師がメッセージ１１５の表示される範囲内をタップすると消えるようにしてもよい。
【００７９】
以上、患者の認証（被測定者の特定）と、被測定者の本来在所の表示について説明した。このように、本看護システムの端末装置１は、認証により被測定者が特定されると、当該被測定者が本来在所すべき位置に関する情報を患者データベース２３ｐ（図５Ｂ）から取得し、端末装置１の現在位置と、被測定者が本来在所すべき位置を、表示部１３に表示する。よって、看護師は、表示部１３を通じて、自身の現在位置と、被測定者が本来在所すべき位置と、の位置関係を簡便に確認することができるようになる。したがって、看護師は、例えば、患者ＩＤタグ７によって自動的に被測定者として認証がなされた、目前のベッドにいる患者が、本来そのベッドに在所すべき患者であるかどうかを簡便に確認できる。仮に、自身の現在位置と、被測定者として特定された患者が本来在所すべき位置との位置関係が、大きくかけ離れているように表示部１３に表示されたならば、識別情報取得部および被測定者特定部による被測定者の特定がうまく機能していないか、あるいは、被測定者として特定された患者が誤って、本来の自分のベッドとは異なるベッドにいるか、といったケースが想定される。それらのいずれにせよそのような場合には、看護師は、端末装置１に対し被測定者の特定を再試行するよう指示したり、患者に声かけをするなどして本人確認をしたりすることで、被測定者の取り違えを未然に防止することができるようになる。
【００８０】
以上のようにして患者（被測定者）の特定がなされると、端末装置１は、生体情報測定装置６から患者の生体情報の測定データを受信し、受信した測定データをデータ収集サーバ２へ送信するための処理を行う。ここから、図１４Ａ、および、図１４Ｂを参照して、この処理について説明する。
【００８１】
図１４Ａは、端末装置１がする処理のフローチャートを示す図である。ステップＳ１６において、端末装置１の制御部１１は、生体情報取得部として動作して、被測定者の生体情報を測定する生体情報測定装置６から被測定者の生体情報を取得する。例えば、看護師が、体温計を用いて患者の体温を計測し、計測が完了した体温計を、端末装置１の第２無線通信モジュール１７に近接させると、端末装置１は、ＮＦＣ通信により、体温計から体温のデータを取得する。端末装置１は、継続的に第２無線通信モジュール１７に近接する生体情報測定装置６の有無をチェックし続け、生体情報測定装置６が検出されると随時、生体情報の測定データを生体情報測定装置６から取得する。
【００８２】
なお、生体情報のデータの取得は、上述したＮＦＣ通信による手法に限定されない。例えば、看護師が血圧計や巻き尺などを使用して患者の血圧や腹囲などを計測し、計測値を看護師が直接端末装置１に入力してもよい。
【００８３】
端末装置１は、継続的に第２無線通信モジュール１７に近接する生体情報測定装置６の有無をチェックし続けるとともに、ステップＳ１７において、データ送信の指示の入力の有無をチェックする。ここでのデータ送信の指示の入力は、例えば、看護師が、送信ボタン１４１（図３）をタップすることによりなされればよい。
【００８４】
端末装置１に対しデータ送信の指示が入力されると（ステップＳ１７における「ＹＥＳ」）、制御部１１は、生体情報送信部として動作して、データ収集サーバ２へ被測定者の生体情報の測定データを送信する（ステップＳ１８）。このとき、制御部１１は、測定データとともに、測定者である看護師の情報（氏名等）と、被測定者である患者の情報（氏名等）を、データ収集サーバ２へ送信する。
【００８５】
図１４Ｂは、データ収集サーバ２が端末装置１から測定データ等を受信したときにする処理のフローチャートである。
【００８６】
ステップＳ１０７において、データ収集サーバ２の制御部２１は、端末装置１から測定データを受信したかどうかをチェックする。測定データが受信された場合（ステップＳ１０７における「ＹＥＳ」）、処理は、ステップＳ１０８へ進む。
【００８７】
ステップＳ１０８において、制御部２１は、受信した測定データを、測定者および被測定者の情報とともに、電子カルテサーバ３ｓへ送信し、電子カルテサーバ３ｓに対し当該測定データ等の電子カルテへの記録を要求する。
【００８８】
要求を受けた電子カルテサーバ３ｓは、測定データを、被測定者の電子カルテに記載する処理を行う。以上により、測定データの電子カルテへの記録が完了する。
【００８９】
以上、ここまで説明したように、本実施形態による看護システムにおいては、ＩＣタグを用いた個人認証により、看護師および患者の認証および特定を迅速に行うことができる。さらに、本システムの端末装置１は、看護師の現在位置（端末装置１の現在位置）および上記個人認証により特定された患者が本来在所すべき位置が、表示部１３上にグラフィカルに表示される。そのため、ユーザ（看護師）は、被測定者として特定された患者の本来のベッドの位置と現在位置との位置関係をリアルタイムで確認することができ、患者の取り違えを未然に防止することができる。また、患者により生体情報の測定項目が異なる場合には、測定項目の誤りを未然に防止することができる。
【００９０】
上記実施形態においては、端末装置１は、所謂タブレット端末として説明した。しかしながら、端末装置１は、タブレット端末に限定されない。端末装置１は、例えば、デスクトップ・コンピュータ、ラップトップ・コンピュータ、ノートブック・コンピュータ、ポケット・コンピュータ、ラグドコンピュータ(rugged computer)、スマートデバイス（スマートフォン、スマートウォッチ、スマートグラス）、ウェアラブルコンピュータ、携帯電話、携帯情報端末（ＰＤＡ）等であってもよく、また、これらに限定されない。
【００９１】
上記実施形態においては、看護師ＩＤタグ５および患者ＩＤタグ７は、ＩＣタグ（ＲＦＩＤタグ）であるとして説明した。しかしながら、看護師ＩＤタグ５および患者ＩＤタグ７は、ＩＣタグに限定されない。看護師ＩＤタグ５および患者ＩＤタグ７は、様々な通信方式で識別情報を端末装置１へ送信できる機器であってよい。様々な通信方式とは、例えば、ＩＳＯ／ＩＥＣ７８１６、ＩＳＯ／ＩＥＣ１０５３６、ＩＳＯ／ＩＥＣ１４４４３、ＩＳＯ／ＩＥＣ１８０９２、ＩＳＯ／ＩＥＣ１５６９３、マイクロ波を利用した遠隔型非接触通信、ＩＥＥＥ８０２．１１  ａ／ｂ／ｇ／ｎ、Ｂｌｕｅｔｏｏｔｈ等であってよく、また、これらに限定されない。また、看護師ＩＤタグ５および患者ＩＤタグ７と端末措置１との通信は、有線接続された信号線を介してなされてもよい。また、看護師ＩＤタグ５および患者ＩＤタグ７は、バーコード、二次元バーコード（ＱＲコード（登録商標））でもよい。
【００９２】
上記実施形態においては、端末装置１は、ＧＰＳモジュール１５、あるいは、位置情報サーバ４によるＷｉ−Ｆｉアクセスポイントとの通信状況にもとづく位置推定により、自装置の現在位置の情報を取得するとして説明した。しかしながら、端末装置１がする現在位置情報の取得は、これらに限定されない。位置情報の取得は、端末装置１に内蔵、または、看護師に携帯される位置検出用の（Ｂｌｕｅｔｏｏｔｈ、Ｗｉ−Ｆｉ等を用いた）通信機器と、院内各所に設置され当該通信機器の存在を検出する受信装置と、受信装置による検出結果を集約して位置検出用の通信機器の現在位置を推定するサーバ装置とで行うことも可能である。この場合において通信機器が看護師に携帯される場合には、端末装置１は、認証済みの看護師の現在位置を当該サーバ装置へ問い合わせすることにより、自装置の現在位置の情報を取得すればよい。
【００９３】
生体情報測定装置６は、血圧計、体温計、パルスオキシメータ、血糖計、体重計、体組成計を含み、これらに限定されない。生体情報測定装置６によって測定される生体情報は、血圧、脈拍数、体温、酸素飽和度、血糖値、体重、体脂肪率を含み、これらに限定されない。上記実施形態においては、生体情報測定装置６は、ＮＦＣ通信を行って、端末装置１へ測定データを転送するとして説明した。しかしながら、生体情報測定装置６と端末装置１との通信は、ＮＦＣ通信に限定されない。通信方式は、例えば、ＩＳＯ／ＩＥＣ７８１６、ＩＳＯ／ＩＥＣ１０５３６、ＩＳＯ／ＩＥＣ１４４４３、ＩＳＯ／ＩＥＣ１８０９２、ＩＳＯ／ＩＥＣ１５６９３、マイクロ波を利用した遠隔型非接触通信、ＩＥＥＥ８０２．１１  ａ／ｂ／ｇ／ｎ、Ｂｌｕｅｔｏｏｔｈ等であってよく、また、これらに限定されない。また、生体情報測定装置６と端末措置１との通信は、有線接続された信号線を介してなされてもよい。
【００９４】
上記実施形態においては、被測定者（患者）が本来在所すべき位置に関する情報を保持するデータベースは、データ収集サーバ２内に構成されるデータベース（患者データベース２３ｐ）であるとして説明した。しかしながら、データベースは、データ収集サーバ２以外のサーバ装置内に構成されてよい。例えば、端末装置１は、電子カルテサーバ３ｓにアクセスして、電子カルテに記載された被測定者（患者）が本来在所すべき位置に関する情報（病室、ベッド番号等）を取得してもよい。この場合、電子カルテサーバ３ｓが管理する電子カルテが、被測定者（患者）が本来在所すべき位置に関する情報を保持するデータベースに相当する。あるいは、端末装置１が自機の内部に、被測定者（患者）が本来在所すべき位置に関する情報を保持するデータベースを保有してもよい。
【符号の説明】
【００９５】
１：看護支援端末装置
２：データ収集サーバ
３ｓ：電子カルテサーバ
３ｃ：電子カルテ閲覧端末装置
４：位置情報サーバ
５：看護師ＩＤタグ
６：生体情報測定装置
７：患者ＩＤタグ
８：無線ＬＡＮアクセスポイント
９：ネットワーク
１１：制御部（ＣＰＵ）
１２：記憶部
１３：表示部
１４：操作部
１５：ＧＰＳモジュール
１６：第１無線通信モジュール
１７：第２無線通信モジュール
１８：第３無線通信モジュール
２１：制御部（ＣＰＵ）
２２：メモリ
２３ｎ：看護師データベース
２３ｐ：患者データベース
２４：ネットワークインタフェース
１０１：看護師氏名表示欄
１０２：患者氏名表示欄
１０３：血圧値表示欄
１０４：血圧値表示欄
１０５：脈拍数表示欄
１０６：体温表示欄
１０７：ＳｐＯ２表示欄
１０８：血糖値表示欄
１０９：フロアマップ
１１０：マーカ
１１２：病棟マップ
１１３：マーカ
１１４：フロアマップ
１１５：注意喚起メッセージ
１４１：送信ボタン
【図１】
2018192330.tif 000003
【図２】
2018192330.tif 000004
【図３】
2018192330.tif 000005
【図４】
2018192330.tif 000006
【図５Ａ】
2018192330.tif 000007
【図５Ｂ】
2018192330.tif 000008
【図６Ａ】
2018192330.tif 000009
【図６Ｂ】
2018192330.tif 000010
【図７】
2018192330.tif 000011
【図８】
2018192330.tif 000012
【図９Ａ】
2018192330.tif 000013
【図９Ｂ】
2018192330.tif 000014
【図１０】
2018192330.tif 000015
【図１１Ａ】
2018192330.tif 000016
【図１１Ｂ】
2018192330.tif 000017
【図１２】
2018192330.tif 000018
【図１３】
2018192330.tif 000019
【図１４Ａ】
2018192330.tif 000020
【図１４Ｂ】
2018192330.tif 000021